【事件の表示】
　特許第３３７２４４７号「窓用シャッター」の請求項１に係る特許に対する特許異議の申立てについて、次のとおり決定する。
【結　論】
　訂正を認める。
　特許第３３７２４４７号の請求項１に係る特許を取り消す。
【理　由】
１．手続の経緯
　本件特許第３３７２４４７号に係る出願は、平成９年３月３１日の出願であって、平成１４年１１月２２日に特許の設定登録がなされ（請求項の数２）、その後、三協アルミニウム工業株式会社（外１名）から請求項１に係る発明に対して特許異議の申立がなされ、次いで、取消理由通知がなされ、その指定期間内である平成１６年３月２２日に特許異議意見書とともに訂正請求書が提出されたものである。
　
２．訂正の要旨
　訂正事項ａ：特許請求の範囲の請求項１を次のように訂正する。
「　それぞれ建屋躯体の開口部の屋外側に取り付け可能な１対の縦枠と、この縦枠の中途部に配されて建屋躯体のまぐさに固定される中枠と、縦枠の下端部に配される下枠とを枠組み形成するとともに、上記中枠とこの中枠よりも上方に延出された縦枠の延長部とこの延長部の上端部に配される上枠とからシャッターボックス用のボックス取付枠部を枠組み形成し、上記中枠の幅は上記縦枠の見込み幅内とするとともに、上記中枠と下枠と縦枠とによってシャッター枠部を枠組み形成し、上記ボックス取付枠部は見込幅を建屋躯体の外壁の厚みよりも大きく形成しかつ上記開口部の上部に設けられた躯体基礎材の屋外側に取り付け可能に形成するとともに、上記シャッター枠部の内側には上記開口部に取り付けた別体のサッシを納めるようにしたことを特徴とする窓用シャッター。」
　訂正事項ｂ：特許明細書の段落【０００６】を、次のように訂正する。
「【課題を解決するための手段】
　前記課題を達成するため、本発明に係る窓用シャッターは、それぞれ建屋躯体の開口部の屋外側に取り付け可能な１対の縦枠と、この縦枠の中途部に配されて建屋躯体のまぐさに固定される中枠と、縦枠の下端部に配される下枠とを枠組み形成するとともに、上記中枠とこの中枠よりも上方に延出された縦枠の延長部とこの延長部の上端部に配される上枠とからシャッターボックス用のボックス取付枠部を枠組み形成し、上記中枠の幅は上記縦枠の見込み幅内とするとともに、上記中枠と下枠と縦枠とによってシャッター枠部を枠組み形成し、上記ボックス取付枠部は見込幅を建屋躯体の外壁の厚みよりも大きく形成しかつ上記開口部の上部に設けられた躯体基礎材の屋外側に取り付け可能に形成するとともに、上記シャッター枠部の内側には上記開口部に取り付けた別体のサッシを納めるようにしたことを特徴とする。」
　
３．訂正の適否
　上記訂正事項ａに係る訂正は、特許請求の範囲の減縮及び誤記の訂正を目的とするものであり、訂正事項ｂに係る訂正は、訂正事項ａに関連してなされた明りょうでない記載の釈明に該当し、いずれの訂正も、願書に添付した明細書又は図面に記載した事項の範囲内のものであり、さらに、実質上特許請求の範囲を拡張し、又は変更するものではない。
　したがって、上記訂正は、平成１１年改正前の特許法第１２０条の４第２項及び第３項で準用する特許法第１２６条第２項及び第３項の規定に適合するので、当該訂正を認める。
　
４．異議の申立てについての判断
（１）本件発明
　上記のように訂正が認められるから、本件の請求項１に係る発明（以下、「本件発明」という。）は、訂正明細書の特許請求の範囲の請求項１に記載された事項により特定されるとおりのものである。（上記２．訂正事項ａ参照）　
（２）引用刊行物記載の発明
　これに対して、当審が先に通知した取消理由通知で引用した、特開平９−２１２８０号公報（異議申立人提出の甲第２号証。以下、「刊行物１」という。）には、特許請求の範囲の請求項１に「以下の要件を備えたことを特徴とするシャッターボックス付きサッシ。（イ）両側の縦枠と、この縦枠の中途部に配される中枠と、縦枠の下端部に配される下枠とからサッシ枠部を枠組み形成するとともに、上記中枠とこの中枠よりも上方に延出された縦枠の延長部と、この延長部の上端部に配される上枠とからボックス取付枠部を枠組み形成したこと（ロ）上記サッシ枠部は建屋躯体の開口部に固定可能に、上記ボックス取付枠部は上記開口部の上部に設けられた躯体基礎材の屋外側に固定可能に形成されていること（ハ）見込幅は建屋躯体の外壁の厚みよりも大きく形成されていること（ニ）上記サッシ枠部には障子を摺動自在に収納し、上記ボックス取付枠部にはシャッターボックスを取付けたこと」、段落【０００１】に「本発明は共通の縦枠の下部にサッシ枠部を、上部にボックス取付枠部を一体に構成し、ボックス取付枠部にシャッターボックスを取り付けたシャッターボックス付きサッシに関する。」、段落【００１０】に「サッシ枠部ａは縦枠１と、この縦枠１の中途部に配される中枠２と、縦枠１の下端部に配される下枠３とから枠組み形成されている。また、サッシ枠部ａの屋内側は建屋開口部ｃに嵌合されるように形成されている。」、段落【００１１】に「縦枠１のサッシ枠部ａに対応する部分は、中枠２と下枠３の形状に応じて屋内側と屋外側に張り出し、内側面には障子・網戸の案内縁１１と額縁の受け縁１２が形成されているとともに、屋外側の張り出し部１ａにはシャッターレール１３が固定されている。」、段落【００１３】に「ボックス取付枠部ｂはシャッターボックス２４を取り付け可能に形成されたもので、上記中枠２と、この中枠２よりも上方に延出された縦枠１の延長部２５と、この延長部２５の上端部に配される上枠４とから方形に枠組み形成されている。」、段落【００１４】に「サッシを建屋開口部ｃに取り付けるときは、図３、図４に詳しく示すように、サッシ枠部ａの屋内側を建屋躯体の開口部ｃの内側に嵌合するとともにボックス取付枠部ｂを上記開口部ｃの上部に設けられた間の屋外側に配置し、縦枠１、上枠４、中枠２及び下枠３の各取付縁１０、２８、１８、２６をそれぞれ開口部ｃの柱７、まぐさ８、間柱９及び根太６に止着固定する。」、段落【００１８】、【００１９】に「ボックス取付枠部ｂとシャッターボックス２４とは別個に構成されるので、保守等の作業時にシャッターボックス２４を取り外すのは簡単であり、シャッターボックスの交換も楽に行なうことができる。さらに、シャッターボックス付きサッシの見込幅は建屋躯体の外壁の厚みよりも大きく形成され、ボックス取付枠部ｂは外壁にのみ込まれないので、シャッターボックス２４とは関係なく上記サッシの取り付け時に外壁も施工することができる。したがって、サッシの施工時にはシャッターボックス２４を外しておき、サッシ取付け後、ボックス取付枠部ｂにシャッターボックス２４を取り付けることができる。」、段落【００２２】、【００２３】に「図５と図６とは、サッシのサッシ枠部ａの基本的構成を通常の外付けサッシと同様の構成としたもので、この例においても、共通の縦枠１の下部にサッシ枠部ａ、上部にボックス取付枠部ｂを一体に枠組み形成し、上記サッシ枠部ａを建屋躯体の開口部ｃに固定し、ボックス取付枠部ｂを上記開口部ｃの上部に設けられた躯体基礎材の屋外側に固定し、上記ボックス取付枠部ｂにシャッターボックス２４を取付けたものである。なお、図３、図４と同じ符号は同じ部品を示す。この例の場合も、上述の例と同様に、通常の建屋開口部ｃに取り付けられるとともに、シャッターボックス２４の取り外しや交換も簡単に行なうことができるという効果を得ることができる。」と記載されており、図３をみると、中枠２の取付縁１８がまぐさ８に止着固定されており、図５をみると、中枠２の幅は縦枠１の見込み幅内で、図５，６をみると、１対の縦枠１，１は建屋躯体の開口部ｃの屋外側に取り付けられていることが明らかであり、また、「建屋躯体の開口部」に「窓」が含まれることは明らかであり、さらに、ボックス取付枠部とシャッターボックスとは別個に構成されるのであるから、シャッターボックスを取り付ける前のシャッターボックス用のボックス取付枠部付きサッシも記載されていると認められるから、これらの記載を図面とともに参照すると、刊行物１には、「それぞれ建屋躯体の開口部の屋外側に取り付け可能な１対の縦枠と、この縦枠の中途部に配される建屋躯体のまぐさに固定される中枠と、縦枠の下端部に配される下枠とを枠組み形成するとともに、上記中枠とこの中枠よりも上方に延出された縦枠の延長部とこの延長部の上端部に配される上枠とからシャッターボックス用のボックス取付枠部を枠組み形成し、上記中枠の幅は上記縦枠の見込み幅内とし、上記中枠と下枠と縦枠とによってシャッター枠部を枠組み形成し、上記ボックス取付枠部は見込幅を建屋躯体の外壁の厚みよりも大きく形成し、かつ上記開口部の上部に設けられた躯体基礎材の屋外側に取り付け可能に形成するとともに、シャッター枠部にはサッシを取り付け可能なサッシ枠部を一体に形成しており、上記中枠はサッシ枠部の上枠である窓用シャッターボックス取付枠部付きサッシ」という発明が記載されている。なお、該刊行物１に記載された発明は、平成１６年３月２２日付け特許異議意見書（２頁２〜１２行参照。）において、特許権者が認定した通りである。
　同、特開平９−６０４５６号公報（異議申立人提出の甲第１号証。以下、「刊行物２」という。）には、段落【０００１】に「本発明は、建物開口部に設けられる窓シャッターにおいて、建物開口部に予め配設されているサッシ枠の周囲に配設される窓シャッターの枠体構造に関するものである。」、段落【００１３】に「本発明の窓シャッターの枠体構造１は、住宅などの建物の窓などの開口部２に、予め配設されるサッシ枠３の周囲に配設され、一対のガイド縦枠５，６と、下枠１４と、連結枠２０とで大略構成されている。」、段落【００２８】に「左右のガイド縦枠５，６の上部にシャッターケースが躯体枠４に固定され」と、図面とともに記載されている。
（３）対比・判断
　本件発明と、刊行物１に記載された発明とを比較すると、刊行物１に記載された発明の「サッシ枠部を一体に形成したシャッター枠部」、「シャッターボックス取付枠部付きサッシ」と、本件発明の「シャッター枠部」、「シャッター」とは、それぞれ、「シャッターとサッシのための枠部」、「シャッターとサッシのための部材」で共通しているから、両者は、それぞれ建屋躯体の開口部の屋外側に取り付け可能な１対の縦枠と、この縦枠の中途部に配されて建屋躯体のまぐさに固定される中枠と、縦枠の下端部に配される下枠とを枠組み形成するとともに、上記中枠とこの中枠よりも上方に延出された縦枠の延長部とこの延長部の上端部に配される上枠とからシャッターボックス用のボックス取付枠部を枠組み形成し、上記中枠の幅は上記縦枠の見込み幅内とするとともに、上記中枠と下枠と縦枠とによってシャッターとサッシのための枠部を枠組み形成し、上記ボックス取付枠部は見込幅を建屋躯体の外壁の厚みよりも大きく形成しかつ上記開口部の上部に設けられた躯体基礎材の屋外側に取り付け可能に形成した窓用シャッターとサッシのための部材の点で一致し、下記の点で相違している。
　相違点１：本件発明は、シャッターとサッシのための枠部がシャッター枠部であってサッシは設けられておらず、その内側に開口部に取り付けた別体のサッシを納めるようにしており、窓用シャッターとサッシのための部材が窓用シャッターであるのに対し、刊行物１に記載された発明では、シャッターとサッシのための枠部がサッシ枠部を一体に形成したシャッター枠部であってサッシが設けられており、窓用シャッターとサッシのための部材が窓用シャッターボックス取付枠部付きサッシである点。
　しかしながら、刊行物２をみると、建物開口部（本件発明の「建屋躯体の開口部」に相当）に設けられる窓シャッター（本件発明の「窓用シャッター」に相当）において、建物開口部に予め配設されているサッシ枠（本件発明の「別体のサッシ」に相当）の周囲に配設され、上部にシャッターケースが配置される窓シャッターの枠体構造（本件発明の「シャッター枠部」に相当）が記載されており、この技術を刊行物１に記載された発明の、窓用シャッターボックス取付枠部付きサッシにおけるサッシ枠部を一体に形成したシャッター枠部に採用して、上記相違点１における本件発明のようにすることは、当業者が適宜なし得ることにすぎない。そして、本件発明が奏する作用効果は、刊行物１および２に記載された発明から予測できる程度のものである。
　なお、特許権者は、上記特許意見書において、「刊行物１、刊行物２のいずれにも、枠体の縦枠の中途部に中枠を取り付けるという思想は全くない。」と主張しているが、上記刊行物１に記載された発明の認定に際し記載したように、該事項は、刊行物１に記載されていると、特許権者自らが認めており、該主張は採用できない。
　したがって、本件発明は、刊行物１に記載された発明及び刊行物２に記載された発明から当業者が容易に発明できたものである。
　
５．むすび
　以上のとおりであるから、本件発明は、特許法第２９条第２項の規定に違反して特許されたものである。
　したがって、本件発明の特許は、特許法第１１３条第２項に該当し、取り消されるべきものである。
　よって、結論のとおり決定する。
【異議決定日】
平成１６年３月３０日（２００４．３．３０）
【訂正の要旨】
審決（決定）の【理由】欄参照。
（５４）【発明の名称】
窓用シャッター
（５７）【特許請求の範囲】
　【請求項１】　それぞれ建屋躯体の開口部の屋外側に取り付け可能な１対の縦枠と、この縦枠の中途部に配されて
建屋躯体のまぐさに固定される
する
　【請求項２】　前記縦枠が上部と下部に分割したものを一体的に形成したものである請求項１記載の窓用シャッター。
【発明の詳細な説明】
　【０００１】
　【発明の属する技術分野】
　本発明はシャッターボックスを外部から着脱できるとともにサッシを自由に選択できる窓用シャッターに関する。
　【０００２】
　【従来技術】
　最近、建屋の開口部に設けられたサッシに、雨戸の代りにシャッターボックスを付設し、シャッターボックスからシャッターを引き出して窓を覆う例が増えている。このようなシャッターボックス付きのサッシは、サッシとシャッターボックスとを別個に組み立て、施工も別個に行なうタイプのものと、サッシとシャッターボックスとを一体に形成しておき、一度に施工するタイプのものが知られている。前者の例としては実開平３ー１４２９９号公報に示されるようなものがあり、後者の例としては特開平９ー２１２８０号公報に示されるものが知られている。
　【０００３】
　【発明が解決しようとする課題】
　ところが、前者の場合、サッシもシャッターボックスも標準規格の建屋開口部に取り付けることはできるが、初めにサッシを取り付け施工し、その後にシャッターボックスを後付け施工するという２段階方式とならざるをえず、この方式ではそれぞれ施工が終らない限り外壁を施工することはできないから、施工期間が長びくという問題があった。さらに、シャッターボックスの周縁にはシーリング処理や外壁仕上げがなされるので、シャッターの保守作業を行なう場合、シャッターボックスの前部を開いて行なう簡単な修理はできるが、シャッターボックス自体を交換する必要があるような場合には、外壁を壊してシャッターボックスを取り外さなければならないので、作業が非常に複雑になり、費用もかなりかかってしまうという問題がある。
　【０００４】
　後者の場合には、サッシとシャッターボックスとが一体に形成されてしまうので、サッシのタイプは特定のものに限定されてしまう。サッシには、網戸のあるもの、ないもの、金属又は合成樹脂単体のもの、金属と合成樹脂とを複合させたもの、バリアフリーに対応するものなど、各種各様のタイプがあるので、上記のシャッターボックス付きサッシではサッシ自体の選択の自由度が制限されてしまうという問題がある。
　【０００５】
　本発明は上記問題点を解消し、シャッターボックスの取り付け、取り外しが容易であるとともに、障子用サッシの選択幅も広くなる窓用シャッターを提供することをその課題とする。
　【０００６】
　【課題を解決するための手段】
　前記課題を達成するため、本発明に係る窓用シャッターは、それぞれ建屋躯体の開口部の屋外側に取り付け可能な１対の縦枠と、この縦枠の中途部に配されて
建屋躯体のまぐさに固定される
する
　【０００７】
　なお、前記縦枠は上部と下部に分割したものを一体的に形成したものであってもよい。
　【０００８】
　【発明の効果】
　請求項１の発明によれば、シャッター部を上記開口部の上部の躯体基礎材の屋外側に取り付け可能に形成したものであるから、建屋開口部を専用の大型の開口部にする必要がない。通常の建屋躯体の開口部に取り付けることができる。したがって、設計が容易である。また、ボックス取付枠部とシャッターボックスとは別個に構成されるので、保守等の作業時にシャッターボックスを取り外すのは簡単であり、シャッターボックスの交換も楽に行なうことができる。
　【０００９】
　次に、障子用サッシ体とは独立に構成されるので、直接の関係はないので、建屋躯体にはどのような種類のサッシを取り付けてもよい。したがって、サッシの選択の自由が大きくなる。なお、図示した例はいわゆる半外付けサッシである。
　【００１０】
　さらに、窓用シャッターの枠体の見込幅は建屋躯体の外壁の厚みよりも大きく形成され、ボックス取付枠部は外壁にのみ込まれないので、シャッターボックスとは関係なく上記サッシの取り付け時に外壁も施工することができる。したがって、サッシの施工時にはシャッターボックスを外しておき、サッシ取付け後、ボックス取付枠部にシャッターボックスを取り付けることができる。要するに、シャッターボックスの取付けは外壁に全く影響されないので、施工が楽である。
　【００１１】
　【発明の実施の形態】
　図１において符号１はシ窓用シャッターの枠体で、この枠体１は、左右１対の縦枠２と、この縦枠２の中途部に配される中枠３と、縦枠２の上端に配される上枠４と、縦枠２の下端部に配される下枠５とを枠組みして成るとともに、その上部にシャッターボックス１９のボックス取付枠部６を、下部に内側にサッシ体３０が位置するシャッター枠部７を枠組み形成したもので、建屋開口部Ａに取り付け可能に構成されている。
　【００１２】
　なお、建屋開口部Ａは詳しくは同図のように通常の軸組み工法によって構成された標準規格の開口部で、土台の上部に配設された根太８と、根太８から立設された２本の柱９と、柱９間に配置されたまぐさ１０とによって形成されている。なお、柱９の両側にも複数の柱１１が配設され、まぐさ１０の上部には間柱１２が取り付けられている。これらの根太８、柱９、１１、まぐさ１０、間柱１２等は躯体の基礎材であり、また外壁の下地材でもある。
　【００１３】
　上記枠体１の縦枠２は図２に示されるように中空部１３の屋外側に係止とネジ止めによってシャッターガイドレール部１４を固定し、上記中空部１２の屋内側端面の外方にＬ字形の取付縁１５を突出形成したものである。縦枠２のボックス取付枠部６に対応する部分の屋内側端面は、建屋の開口部Ａの上部に設けられた躯体基礎材（柱９）の外面に当接するように形成されている。なお、中空部１３は縦枠２の全長にわたって形成されているが、シャッターガイドレール部１４の上端は中枠３の位置まで形成されている。
　【００１４】
　中枠３は図３に示すように縦枠２の幅よりも幅狭の中空部１６の屋内側にＬ字形の取付縁１７を形成したものである。
　【００１５】
　上枠４の屋外側には垂下縁２０が形成され、この垂下縁２０の下部にはシャッターボックス１９の取付溝２１が形成されている。また、上枠４の屋内側には取付縁２２が上向きに形成されている。
　【００１６】
　下枠５は中空部の屋内側の上方にＺ字形の取付縁１８を、下方にも取付縁１９を突出形成し、縦枠２の幅と略同じ幅寸法に形成されたものである。
　【００１７】
　ボックス取付枠部６はシャッターボックス１９を取り付け可能に形成されたもので、上記中枠３と、この中枠３よりも上方に延出された縦枠２の延長部２ａと、この延長部２ａの上端部に配される上枠４とから方形に枠組み形成されている。２４は遮蔽板である。また、ボックス取付枠部６は、縦枠２、上枠４及び中枠３の各取付縁１５、２２、１７によって上記開口部Ａの上部に設けられた間柱１２や柱９などの躯体基礎材の屋外側に取り付けられるように形成されている。さらに、ボックス取付枠部６の見込幅Ｌ１は建屋躯体の外壁２６の厚みＬ２よりも大きくなるように、したがって上記縦枠２、上枠４及び中枠３は外壁２６から屋外側に露出するように形成されている。
　【００１８】
　また、シャッター枠部７は両側の縦枠２と中枠３と下枠５とから構成されている。そして、シャッターＴ枠部７の内側には上記開口部Ａに取り付けた別体のサッシ体３０が位置するように形成されている。
　【００１９】
　すなわち、サッシ体３０はサッシ縦枠３１とサッシ上枠３２とサッシ下枠３３とを方形に枠組みしてなり、上下及び左右には取付縁３４が外方に張り出し形成されている。サッシ体３０は上記取付縁３４を建屋開口部Ａの屋外側に当接し、ネジ止めにより固定されている。このようなサッシ体３０の取付構成は各種のタイプのサッシに共通のものである。なお、建屋開口部Ａの内周面には額縁３５が取りつけられ、またサッシ体３０の内部には障子３６と網戸３７が摺動自在に取りつけられる。
　【００２０】
　これに対し、シャッター枠部７の取付縁１５、１９、１７はそれぞれＬ字形又はＬ字形部分を含む（下枠５の場合）もので、上記取付縁１５、１９、１７が開口部Ａを構成する躯体基礎材の屋外側面に固定されたときに、内方に中空部と躯体基礎材との間に隙間が形成される。この隙間にサッシ体３０の取付縁３４が納まる。このため、シャッター枠部７の内側にはサッシ体３０が収納されるのである。
　【００２１】
　上記枠体１を建屋開口部Ａに取り付けるときは、上述に示したように建屋躯体の開口部Ａにサッシ体３０を取り付けた後、上記枠体１を構成する縦枠２、上枠４、下枠５及び中枠３の各取付縁１５、２２、１９、１７を建屋躯体の開口部Ａの屋外側面に当接して固定する。シャッター枠部７の取付縁１５、１９、１７はサッシ体３０の取付縁３４の外側から固定される。また、ボックス取付枠部６の取付縁１５、２２、１７は上記開口部Ａの上部に設けられた間柱１２や柱９などの躯体基礎材の屋外側にネジ止め固定される。そして、外壁２６を施工する。
　【００２２】
　なお、ボックス取付枠部６にはシャッターボックス１９が取り付ける。この場合、シャッターボックス１９の裏側に形成された係止片２５をボックス取付枠部６の取付溝２１に係止させるとともに、垂下縁２０にネジ止めすればよい。シャッターボックス１９にはシャッター４０を巻装した巻き上げドラム４１が回転自在に支持され、ここからシャッター４０を巻き戻して枠体１のシャッターガイドレール部１４に摺動自在に係合させる。
　【００２３】
　なお、シャッターボックス１９の取り付けは外壁の施工前でも後でもよい。施工後であっても、シャッターボックス１９の取り付けに多少日数がかかるようなことがあっても、ボックス取付枠部６には遮蔽板が配置されているから、雨仕舞が損なわれることがない。
　【００２４】
　上述のように、上記窓用シャッターの枠体１は、シャッター枠体１を建屋開口部Ａに、ボックス取付枠部６を上記開口部Ａの上部の躯体基礎材（間柱１２等）の屋外側に取り付け可能に形成したものであるから、建屋開口部Ａを専用の大型の開口部にする必要がない。通常のサッシの開口部に取り付けることができる。したがって、設計が容易である。また、ボックス取付枠部６とシャッターボックス１９とは別個に構成されるので、保守等の作業時にシャッターボックス１９を取り外すのは簡単であり、シャッターボックス１９の交換も楽に行なうことができる。
　【００２５】
　次に、サッシ体とは独立に構成され、直接の関係はないので、建屋躯体にはどのような種類のサッシを取り付けてもよい。したがって、サッシの選択の自由が大きくなる。なお、図示した例はいわゆる半外付けサッシである。
　【００２６】
　さらに、窓用シャッターの枠体１の見込幅Ｌ１は建屋躯体の外壁２６の厚みＬ２よりも大きく形成され、ボックス取付枠部６は外壁２６にのみ込まれないので、シャッターボックス１９とは関係なく上記サッシの取り付け時に外壁２６も施工することができる。したがって、サッシの施工時にはシャッターボックス１９を外しておき、サッシ取付け後、ボックス取付枠部６にシャッターボックス１９を取り付けることができる。要するに、シャッターボックス１９の取付けは外壁２６に全く影響されないので、施工が楽である。
　【００２７】
　なお、ボックス取付枠部６に対するシャッターボックス１９の取付態様は特に限定されない。どのように取り付けてもよい。上述の取付方式のほか、シャッターボックス１９に形成した取付縁（図示せず）を直接に取付枠部６に外部からネジ止めするものでもよく、ネジ止めと係止による構成でもよい。
　【００２８】
　また、縦枠２は一体のものに限定されない。上部と下部に分割したものを一体的に形成する構成であってもよい。
【図面の簡単な説明】
　【図１】
　本発明に係る窓用シャッターの枠体と標準の建屋開口部の斜視図
　【図２】
　窓用シャッターの横断面図
　【図３】
　上記窓用シャッターの縦断面図
　【符号の説明】
　Ａ　開口部
　１　　枠体
　２　縦枠
　２ａ　延長部
　３　中枠
　４　上枠
　５　下枠
　６　ボックス取付枠部
　７　シャッタ−収納枠部
　１９　シャッターボックス
　２６　外壁